(57)【要約】【課題】簡単な構造であって洗掘を確実に抑制できる、裏法尻の洗掘の抑制構造を提供する。【解決手段】本発明の洗掘の抑制構造は、堤防の裏法の下側終端部に設置された石詰籠を備えており、石詰籠は、上面の少なくとも一部が略水平に形成されており、上面の水平に形成されている部分に裏法尻が載置されているとともに、上面の水平に形成されている部分が裏法尻から遠ざかる方向にさらに延びている。【選択図】図４
2018021415.tif 000002
【特許請求の範囲】
【請求項１】
堤防の裏法の下側終端部に設置された石詰籠を備えている、洗掘の抑制構造であって、
前記石詰籠は、上面の少なくとも一部が略水平に形成されており、
前記上面の水平に形成されている部分に裏法尻が載置されているとともに、前記上面の水平に形成されている部分が裏法尻から遠ざかる方向にさらに延びている、洗掘の抑制構造。
【請求項２】
裏法尻から遠ざかる方向にさらに延びている前記上面の水平に形成されている部分は、高さの異なる複数の水平の部分を有している、請求項１に記載されている洗掘の抑制構造。
【請求項３】
前記上面の一部は裏法に埋設されている、請求項１又は２に記載されている洗掘の抑制構造。
【請求項４】
前記石詰籠において前記上面の水平に形成されている部分のうち、少なくとも裏法尻から遠ざかる方向にさらに延びている部分は、他の部分に比べて鉛直下方の長さが大きい、請求項１から３のいずれか一つに記載されている洗掘の抑制構造。
【発明の詳細な説明】
【技術分野】
【０００１】
本発明は、洗掘の抑制構造に関するものである。
【背景技術】
【０００２】
堤防が壊れる、いわゆる破堤は、いくつかのパターンにより生じる。例えば、川の激しい流れや波浪などにより、おもて法の表面の土が削り取られて破堤を引き起こすパターン、堤防の法面に亀裂が入り、それが拡がって破堤を引き起こすパターン、河川の水位が上がってその水圧で河川の水が堤防に浸透し裏法側から水が吹き出して破堤を引き起こすパターン、増水した河川の水が堤防を越えて越水し裏法を削り取って破堤を引き起こすパターンなどがある。
【０００３】
それぞれのパターンにより、破堤が生じないように異なる対策をとる必要がある。さらには特許文献１に開示されているように、２０１１年に発生した東日本大震災における津波によって多くの海岸堤防が破壊され、その対策が急務となっている。
【０００４】
一方、河川の堤防においても近年の局所的な豪雨による越水が引き起こす破堤が生じており、この対策も講じる必要がある。
【先行技術文献】
【特許文献】
【０００５】
【特許文献１】特開２０１３−７６２６３号公報
【発明の概要】
【発明が解決しようとする課題】
【０００６】
しかしながら、越水の対策は堤防の高さを高くするという方法が基本であり、そのためには堤防の幅も大きくする必要がある。このような対策では膨大なコストがかかると共に、河川の堤防の場合は堤防の後方に広がる民有地にまで堤防を広げなけらばならなくなる場合が多々あり、このような対策は現実的には実施できないという問題があった。
【０００７】
堤防を越水して裏法を流れ落ちる水流から裏法尻が洗掘されてしまうのを防ぐために、裏法尻の近辺をコンクリートブロックで覆って保護することが考えられる。しかしながら、この場合、裏法を流れ落ちる水流がコンクリートブロックにより流速を増してしまい、民有地へ高速水流が流れ込んで建物の崩壊などを生じてしまうと共に、水流の量が多かったり流速が大きかったりするとコンクリートブロックが流されて、民家や住民に衝突してしまうおそれもある。
【０００８】
また、特許文献１に開示されている技術は、堤防陸側法尻部から、堤防から離れる方へ平場にコンクリートブロックを並べる技術である。この技術を適用しようとしても、裏法尻に続く平場の地盤は民有地である場合が多く、その民有地にコンクリートブロックを並べる必要がある。この民有地には民家が建っている場合もあり、現実的には特許文献１に開示されている技術は、実施が非常に困難である。
【０００９】
本発明は、かかる点に鑑みてなされたものであり、その目的とするところは、簡単な構造であって洗掘を確実に抑制できる、裏法尻における洗掘の抑制構造を提供することにある。
【課題を解決するための手段】
【００１０】
本発明の洗掘の抑制構造は、堤防の裏法の下側終端部に設置された石詰籠を備えており、前記石詰籠は、上面の少なくとも一部が略水平に形成されており、前記上面の水平に形成されている部分に裏法尻が載置されているとともに、前記上面の水平に形成されている部分が裏法尻から遠ざかる方向にさらに延びている構成を有している。
【００１１】
堤防の裏法とは、堤防の両斜面のうち、堤防の天端に対して海や河川とは反対側の斜面のことである。また、法尻とは土木用語であって、斜面の下側の角のことである。例えば、堤防のように地盤に土を盛り上げた場合、地盤と盛土の接合部にできる折れ点が法尻となる。裏法尻は、裏法側の法尻である。本発明においては、裏法尻は裏法の下側終端部分における斜面と水平部分とがなす角のことであり、石詰籠の上面の水平部分に裏法尻が存在している。
【００１２】
裏法尻から遠ざかる方向にさらに延びている前記上面の水平に形成されている部分は、高さの異なる複数の水平の部分を有していることが好ましい。
【００１３】
前記上面の一部は裏法に埋設されていることが好ましい。
【００１４】
前記石詰籠において前記上面の水平に形成されている部分のうち、少なくとも裏法尻から遠ざかる方向にさらに延びている部分は、他の部分に比べて鉛直下方の長さが大きい構成であってもよい。
【発明の効果】
【００１５】
本発明の洗掘の抑制構造は、堤防の裏法の下側終端部に設置された石詰籠を備えており、上面の水平に形成されている部分に裏法尻が載置されているとともに、上面の水平に形成されている部分が裏法尻から遠ざかる方向にさらに延びているので、堤防の越水が生じても石詰籠によって裏法尻の洗掘が抑制される。
【図面の簡単な説明】
【００１６】
【図１】通常時の堤防の模式的な断面図である。
【図２】越水時の堤防の模式的な断面図である。
【図３】裏法尻が洗掘されている堤防の模式的な断面図である。
【図４】実施形態１に係る洗掘の抑制構造を示す模式的な断面図である。
【図５】実施形態１に係る石詰籠の模式的な斜視図である。
【図６】実施形態２に係る洗掘の抑制構造を示す模式的な断面図である。
【図７】実施形態３に係る洗掘の抑制構造を示す模式的な断面図である。
【図８】参考形態１に係る洗掘の抑制構造を示す模式的な断面図である。
【図９】参考形態１に係る石詰籠の模式的な斜視図である。
【図１０】参考形態２に係る洗掘の抑制構造を示す模式的な断面図である。
【図１１】参考形態３に係る洗掘の抑制構造を示す模式的な断面図である。
【図１２】参考形態３に係る石詰籠の模式的な斜視図である。
【図１３】参考形態４に係る洗掘の抑制構造を示す模式的な断面図である。
【図１４】参考形態５５に係る洗掘の抑制構造を示す模式的な断面図である。
【発明を実施するための形態】
【００１７】
本発明の実施形態について説明をする前に、堤防の越水とそれによる裏法尻の洗掘について説明を行う。
【００１８】
図１は、通常時の河川の堤防１００を示した図である。河川が増水すると、図２のように水が堤防１００を越えて越水し、裏法１１０の上を水が流れていく。裏法１１０の上を流れる水は、裏法尻１２０のところで平場１３０にぶつかり流れ方向が斜め下方から水平方向に変わる。その際、裏法尻１２０のところで渦が発生するようになる。この渦が図３に示すように裏法尻１２０の部分を洗掘し、この洗掘が進行していくと破堤につながってしまう。
【００１９】
従来は越水が生じないように対策を立てていたが、全ての河川の堤防でこのような対策を実行することはコストが膨大なものとなり現実的ではないため、越水が生じても裏法尻の洗掘を抑制して破堤にまでは至らないようにすることを本願発明者らは考えて本願発明を想到するに至った。
【００２０】
以下、本発明の実施形態を図面に基づいて詳細に説明する。以下の好ましい実施形態の説明は、本質的に例示に過ぎず、本発明、その適用物或いはその用途を制限することを意図するものではない。以下の図面においては、説明の簡潔化のため、実質的に同一の機能を有する構成要素を同一の参照符号で示す。
【００２１】
（実施形態１）
実施形態１に係る洗掘の抑制構造を図４に示す。本実施形態では堤防の裏法１１０の下側終端部に石詰籠１５が設置されている。この石詰籠１５の上面２５ａ、２５ｂは水平に形成されている。上面２５ａ、２５ｂは、裏法１１０内に載置され埋め込まれている略水平な第１の上面２５ｂと、裏法尻１２５から平場側１３０へ略水平に延びる第２の上面２５ａとからなっている。つまり第２の上面２５ａは、裏法尻１２５を起点として裏法尻１２５から遠ざかる方向に延びている。石詰籠１０の下面（底面）３５は略水平に形成されている。石詰籠１５の正面（前面）４５は略鉛直に形成されているとともに平場１３０の上に置かれている。背面も略鉛直に形成されている。なお、略水平や略鉛直という文言における「略」とは、水平や鉛直の度合が石詰籠１５の製造工程及び設置工程において使用に支障が無い程度のばらつきの範囲内にあることを意味している。
【００２２】
図５に示すように、本実施形態の石詰籠１５は溶接金網からなる金網パネルを組み合わせて結合させて形成されている。溶接金網は防錆加工、例えば亜鉛アルミ合金めっき処理がなされている。正面４５、側面５５、下面３５、上面２５及び背面を構成する金網パネルの形状は長方形である。いずれも１枚の金網パネルにより構成されている。このような構成により、石詰籠１５は直方体となっている。石詰籠１５の内部には石、例えば割り栗石が詰められている。
【００２３】
次に本実施形態に係る洗掘の抑制構造の作成方法について説明する。
【００２４】
堤防の裏法尻近辺を掘削し、石詰籠を設置する空間を作り出す。次に上面２５以外の金網パネルを組み立てて籠を形成する。金網パネル同士はコイル等の連結器具で連結すればよい。また、裏法尻に沿って複数の籠を連続して並べ、河川に沿って石詰籠が連続して延びるように形成する。隣の籠同士はコイル等の連結器具で連結すればよい。また、側面５５の金網パネルは連続する複数の籠の両端だけとして、それ以外は、金網のない枠構造のみからなる中枠を取り付けてもよい。さらに、籠の補強のために籠の内部の適当な箇所に同様に中枠を取り付けてもよい。こうして作成した内部が空っぽの籠に石を詰める。石を詰めるのに重機を用いても良い。石を詰めたら上面２５の金網パネルを設置して他の面と結合させる。それから背面、側面の全体、及び上面の後方を覆うように土砂により石詰籠を埋める。こうして洗掘の抑制構造が出来上がる。
【００２５】
本実施形態の洗掘の抑制構造は、堤防の裏法１１０の下側終端部に石詰籠１５が設置されているで構成あって石詰籠１５の一部が裏法１１０内に埋設され、石詰籠１５の略水平な上面２５の上に裏法尻１２５が載置されているので、越水した水の流れが裏法尻１２５のところで渦となっても、渦の水流は石詰籠１５の上面２５にぶつかるため、この部分で洗掘されることはない。また、石詰籠１５の緩衝によって越水の流速が抑制される。越水によって裏法尻１２５から河川側に向かって裏法１１０が洗掘されていくが、石詰籠１５が存在しているため、それがない場合に比べると洗掘にかかる時間が長くなるとともに、石詰籠１５が裏法尻１２５部分を保護しているので、越水しても破堤が生じる可能性は低くなる。また、石詰籠１５は堤防の下側に設置され、平場側への突き出し長さを少なくできるため、平場側に民有地が迫っている場合でも施工が可能であり、施工コストも低くできる。
【００２６】
さらには、コンクリートブロックを用いた場合に比べると、石詰籠は粗度が高く、隙間が多いので、越水の水流が石詰籠の上面のみではなく内部にも流れ込み、水流の勢いを減衰させて堤防近くの建物の被害を抑制出来る。そして、越水の水流をの勢いを減衰できるため、水流により石詰籠が動かされることを防止できる。
【００２７】
（実施形態２）
実施形態２に係る洗掘の抑制構造は、実施形態１の石詰籠の平場側の下側に直方体形状の籠を一つ置いたような形状を有しており、石詰籠自体は２つの籠を重ねたものではなく、一体のものである。このような形状が実施形態１と異なっているが、それ以外の石詰籠の構造および設置場所、設置方法は実施形態１と同じであるので、実施形態１と異なる部分を以下説明し、同じ部分の説明は省略する。
【００２８】
実施形態２に係る洗掘の抑制構造は図６に示されているものである。本実施形態の石詰籠１６の上面２６は、裏法１１０の内部に埋設された第１の上面２６ｂと、第１の上面２６ｂから連続して平場側に延びて露出している第２の上面２６ａと、第１、第２の上面２６ｂ、２６ａよりも下方に存在する第３の上面２６ｃとからなっている。第２の上面２６ａと第３の上面２６ｃとは上側正面６０によって連結されて段差が形成されている。本実施形態では、上面２６は高さの異なる２つの水平部分を有している。
【００２９】
裏法１１０内部には石詰籠１６の一部が埋設されており、埋設されている部分は第１の上面２６ｂ、上側背面６１及び上側底面６２に囲まれており、下側背面６３から後方に突き出している形状の部分である。本実施形態に係る洗掘の抑制構造は、平場側の洗掘が実施形態１よりも防がれるようになる。それ以外は、本実施形態に係る洗掘の抑制構造は、実施形態１に係る洗掘の抑制構造と同じ効果を奏する。
【００３０】
なお、裏法１１０に埋設されている部分の形状は、直方体形状ではなくてもよく、三角柱などでもよい。また、下側背面６３から後方へ突き出した形状ではなくてもよく、背面全体が面一になっていてもよい。
【００３１】
（実施形態３）
実施形態３に係る洗掘の抑制構造は、石詰籠の平場側に露出している部分の下側の構造が実施形態１と少し異なっていて、それ以外の石詰籠の構造および設置場所、設置方法は実施形態１と同じであるので、実施形態１と異なる部分を以下説明し、同じ部分の説明は省略する。
【００３２】
実施形態３に係る洗掘の抑制構造は、図７に示すように、石詰籠１７のうち、裏法尻１２７から平場１３０へ延びている部分が、平場１３０よりも鉛直下方に延びていて、地盤内に埋設されている。正面も下方側が地盤内に埋設されている。この地盤内に埋設された部分７７が越水による裏法尻１２７部分の洗掘を、実施形態１よりも抑止する。なお、この地盤内に埋設された部分７７が実施形態１の石詰籠１５に追加されているので、実施形態１よりもコストが大きくなっている。石詰籠１７を裏法尻１２７の下に設置する際も実施形態１よりも鉛直下方に掘削する量が増えるので、設置コストが大きくなる。それ以外は、本実施形態に係る洗掘の抑制構造は、実施形態１に係る洗掘の抑制構造と同じ効果を奏する。
【００３３】
次に参考形態について説明を行う。
【００３４】
参考形態の第１の洗掘の抑制構造は、堤防の裏法の下側終端部に設置された石詰籠を備えており、前記石詰籠は、上面の少なくとも一部が裏法と連続した斜面を形成しているとともに、裏法尻から遠ざかる方向にさらに延びている構成を備えている。即ち、裏法尻に続く平場にも石詰籠が延びている構成である。
【００３５】
参考形態の第２の洗掘の抑制構造は、堤防の裏法の下側終端部に設置された石詰籠を備えており、前記石詰籠は、上面の少なくとも一部が裏法と連続した斜面を形成しているとともに、正面が裏法の下端に位置していて略鉛直に形成されており、前記上面と前記正面との境界が裏法尻を形成している構成を備えている。前記正面の前部側は地盤内に埋められていてもよい。前記石詰籠は、裏法の傾斜方向を含む断面が台形であってもよい。堤防の裏法の下側終端部に設置された前記石詰籠とは別の石詰籠が前記石詰籠の正面に接して置かれていてもよい。
【００３６】
前記石詰籠は、下面が略水平に形成されていることが好ましい。
【００３７】
前記石詰籠は上下方向において単一の籠構造を有していることが好ましい。即ち、洗掘の抑制構造に用いられる石詰籠は、上下方向に複数の籠が積み重ねられた構造ではなく、上下方向では１つの籠により石詰籠が構成されていることが好ましい。
【００３８】
（参考形態１）
参考形態１に係る洗掘の抑制構造を図８に示す。本参考形態では堤防の裏法１１０の下側終端部に石詰籠１０が設置されている。この石詰籠１０の上面２０は裏法１１０と連続した斜面を形成している。石詰籠１０の下面（底面）３０は略水平に形成されている。石詰籠１０の正面（前面）４０は略鉛直に形成されているとともに平場１３０に埋められている。つまり正面４０の前部側は地盤内に埋められている。背面も略鉛直に形成されている。この石詰籠１０の上面２０と正面４０との境界が裏法尻１２１である。
【００３９】
図９に示すように、本参考形態の石詰籠１０は溶接金網からなる金網パネルを組み合わせて結合させて形成されている。溶接金網は防錆加工、例えば亜鉛アルミ合金めっき処理がなされている。正面４０を構成する金網パネルの形状は長方形であり、側面５０を構成する金網パネルの形状は台形である。いずれも１枚の金網パネルにより構成されている。このような構成により、石詰籠１０は裏法の傾斜方向を含む断面が台形となっている。石詰籠１０の内部には石、例えば割り栗石が詰められている。石詰籠１０の上面には金網パネルやシートなどの蓋を載せている。なお、蓋は載せなくてもよい。
【００４０】
次に本参考形態に係る洗掘の抑制構造の作成方法について説明する。
【００４１】
堤防の裏法尻近辺を掘削し、石詰籠を設置する空間を作り出す。次に金網パネルを組み立てて籠を形成する。このとき、籠の上面が裏法の法面と連続して一致するようにする。金網パネル同士はコイル等の連結器具で連結すればよい。また、裏法尻に沿って複数の籠を連続して並べて形成する。隣の籠同士はコイル等の連結器具で連結すればよい。また、側面５０の金網パネルは連続する複数の籠の両端だけとして、それ以外は、金網のない枠構造のみからなる中枠を取り付けてもよい。さらに、籠の補強のために籠の内部の適当な箇所に同様に中枠を取り付けてもよい。こうして作成した内部が空っぽの籠に石を詰める。石を詰めるのに重機を用いても良い。それから背面、側面、正面の全体を覆うように土砂により石詰籠を埋める。こうして洗掘の抑制構造が出来上がる。
【００４２】
本参考形態の洗掘の抑制構造は、堤防の裏法１１０の下側終端部に石詰籠１０が設置されているで構成あって石詰籠１０の上面２０と正面４０との境界が裏法尻１２１となっているので、越水した水の流れが裏法尻１２１のところで渦となっても、渦の水流は石詰籠１０の正面４０にぶつかるため、この部分で洗掘されることはない。正面４０の前面側の地盤は洗掘されるが、石詰籠１０が存在しているため、それがない場合に比べると洗掘にかかる時間が長くなる。また、堤防側は洗掘されないため、越水しても破堤が生じる可能性は非常に低くなる。また、石詰籠１０は堤防の下側に設置され、平場側には設置されないため、平場側に民有地が迫っている場合でも施工が可能であり、施工コストも低くできる。
【００４３】
（参考形態２）
参考形態２に係る洗掘の抑制構造は、石詰籠の背面側の上部の形状が参考形態１と少し異なっていて、それ以外の石詰籠の構造および設置場所、設置方法は参考形態１と同じであるので、参考形態１と異なる部分を以下説明し、同じ部分の説明は省略する。
【００４４】
参考形態２に係る洗掘の抑制構造は、図１０に示すように、石詰籠１１の背面側上部には水平な部分がある。すなわち、石詰籠１１の上面２１ａ，２１ｂは、背面側の水平な上面２１ｂと、裏法１１０と連続した斜面を形成している正面４０側の斜めの上面２１ａとからなる。これにより裏法１１０に露出している石詰籠１１の部分が参考形態１よりも小さくなる。裏法１１０内に埋められている水平な上面２１ｂの上には蓋及び透水性シートを載せている。本参考形態に係る洗掘の抑制構造は、参考形態１に係る洗掘の抑制構造と同じ効果を奏する。
【００４５】
（参考形態３）
参考形態３に係る洗掘の抑制構造を図１１に示す。本参考形態では参考形態１と同様に、堤防の裏法１１０の下側終端部に石詰籠１２が設置されているが、石詰籠１２の形状が参考形態１とは異なっていて、裏法尻１２２から平場１３０側へとさらに延びている。以下、参考形態１と異なる点を説明し、参考形態１と同じ点は説明を省略する。本参考形態は、平場１３０における民有地が裏法尻１２２からある程度離れた位置に存している場合に適用することが好ましい。
【００４６】
本参考形態の石詰籠１２は、裏法１１０と連続した斜面を形成している第１の上面２２ａと、裏法尻１２２から平場１３０側へ水平に延びる第２の上面２２ｂとを有している。第１の上面２２ａと第２の上面２２ｂとの境界が裏法尻１２２となっている。石詰籠１２の下面（底面）３２は略水平に形成されている。石詰籠１２の正面（前面）４２は略鉛直に形成されているとともに平場１３０に埋められている。つまり正面４２の前部側は全て地盤内に埋められている。第２の上面２２ｂは平場と面一となっている。
【００４７】
図１２に示すように、本参考形態の石詰籠１２は、参考形態１と同様に、溶接金網からなる金網パネルを組み合わせて結合させて形成されている。参考形態１と異なっている点は、側面５２を構成する金網が長方形の後ろ半分の上に直角三角形を載せた形状である点である。この側面５２は１枚の金網パネルにより構成されている。側面５２の中央部分に、正面４２と平行に補強のための中枠を設置することが好ましい。また、参考形態１と同様に複数の籠を裏法尻１２２に沿って並べて設置する。
【００４８】
本参考形態に係る洗掘の抑制構造は、裏法尻１２２から裏法側と平場側の両方に石詰籠１２が存しているので、参考形態１に比べて平場側に石詰籠１２が延びている分、コストが増加するが、平場側の洗掘が防止されるため、参考形態１よりも裏法尻１２２の洗掘がより抑制される。
【００４９】
（参考形態４）
参考形態４に係る洗掘の抑制構造は、石詰籠の正面の平場への埋め方が参考形態３と異なっていて、それ以外の石詰籠の構造および設置場所、設置方法は参考形態３と同じであるので、参考形態３と異なる部分を以下説明し、同じ部分の説明は省略する。
【００５０】
参考形態４に係る洗掘の抑制構造は、図１３に示すように、石詰籠１２の正面４２が全て露出しており、地盤に埋められている部分はない。すなわち、石詰籠１２の下面３２の前方部分が平場１３０の上に載せられているということができる。
【００５１】
本参考形態に係る洗掘の抑制構造は、裏法１１０の下端近傍のみを掘削するだけで設置できるので、参考形態３に係る洗掘の抑制構造に比べて設置のコストを低くできる。それ以外は、参考形態３に係る洗掘の抑制構造と同じ効果を奏する。
【００５２】
（参考形態５）
参考形態５に係る洗掘の抑制構造は、石詰籠の背面側の上部の形状が参考形態３と少し異なっていて、それ以外の石詰籠の構造および設置場所、設置方法は参考形態３と同じであるので、参考形態３と異なる部分を以下説明し、同じ部分の説明は省略する。
【００５３】
参考形態５に係る洗掘の抑制構造は、図１４に示すように、石詰籠１３の背面側上部には水平な部分がある。すなわち、石詰籠１３の上面２３ａ，２３ｂ，２３ｃは、裏法１１０と連続した斜面を形成している第１の上面２３ａと、裏法尻１２３から平場１３０側へ水平に延びる第２の上面２３ｂと、背面側の水平な第３の上面２３ｃとからなる。背面側の水平な第３の上面２３ｃは裏法１１０の中に埋められている。これにより裏法１１０に露出している石詰籠１３の部分が参考形態３よりも小さくなる。裏法１１０内に埋められている第３の上面２３ｃの上には蓋及び透水性シートを載せている。本参考形態に係る洗掘の抑制構造は、参考形態３に係る洗掘の抑制構造と同じ効果を奏する。
【００５４】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。
【００５５】
上記の実施形態では石詰籠の上面の全てが略水平に形成されているが、裏法内部の上面部分、あるいは露出している上面部分において水平ではない部分を備えていても構わない。また、上面の一部が突出していたりへこんでいたりしても構わない。
【００５６】
実施形態２において、２つの石詰籠を上下に重ねて抑制構造を形成しても構わない。
【００５７】
上記実施形態のように各面を１枚の金網パネルで形成してもよいが、１つの面を複数の金網パネルで形成してもよいし、２つの面を１つの金網パネルで形成してもよい。例えば、金網パネルとして、断面がＬ字型の折り曲げた形状の溶接金網を用いても。この場合、正面と背面にＬ字型の溶接金網を用いると、下面はそれらのＬ字の下側の金網部分によって構成されることになる。
【００５８】
石詰籠に詰めるものは、石、礫、岩石の破砕物、コンクリートの破砕物などを用いることができる。石詰籠の中に土砂が入らないように、下面、側面、背面、正面、上面に不織布などからなる透水性シートを配置しても良い。
【００５９】
石詰籠とコンクリート構造物とを組み合わせて洗掘の抑制構造を形成してもよい。
【００６０】
石詰籠の上面の裏法尻に垂直な方向の長さにおいて、裏法に埋設されている部分の長さと平場側に延びている部分の長さの配分は特に限定されない。なお、裏法に埋設されている部分の長さは１ｍ以上であると洗掘をより抑制出来るため好ましい。
【００６１】
参考形態３〜５において、石詰籠１２，１３を裏法尻１２２，１２３を境として２つに分けて、２つの石詰籠により構成しても構わない。例えば、参考形態３では、参考形態１の石詰籠１０の正面４０の前に直方体形状のもう一つの石詰籠を置いて連結させても構わない。
【符号の説明】
【００６２】
１５                    石詰籠
１６                    石詰籠
１７                    石詰籠
２５                    上面
２５ａ                  第２の上面（裏法尻から遠ざかる方向にさらに延びている上面）
２５ｂ                  第１の上面（裏法に埋設されている上面）
２６                    上面
２６ａ                  第２の上面（裏法尻から遠ざかる方向にさらに延びている上面）
２６ｂ                  第１の上面（裏法に埋設されている上面）
２６ｃ                  第３の上面（低い位置にある上面）
１００                  堤防
１１０                  裏法
１２５                  裏法尻
１２６                  裏法尻
１２７                  裏法尻
１３０                  裏法
【図１】
2018021415.tif 000003
【図２】
2018021415.tif 000004
【図３】
2018021415.tif 000005
【図４】
2018021415.tif 000006
【図５】
2018021415.tif 000007
【図６】
2018021415.tif 000008
【図７】
2018021415.tif 000009
【図８】
2018021415.tif 000010
【図９】
2018021415.tif 000011
【図１０】
2018021415.tif 000012
【図１１】
2018021415.tif 000013
【図１２】
2018021415.tif 000014
【図１３】
2018021415.tif 000015
【図１４】
2018021415.tif 000016